(57)【要約】【課題】  データアクセス装置のリンガーインピーダンス制御が回線電圧を発振させることを抑制する。【解決手段】  リンガーインピーダンスを変更する変更手段と、公衆回線から受信する呼出信号を検知する第１検知手段と、電話機がオフフック状態かオンフック状態かを検知する第２検知手段と、通信装置が待機している状態において変更手段を無効にし、第１検知手段により呼出信号を検知し、かつ第２検知手段によってオンフック状態であると判断された場合は、変更手段を有効にする制御手段を備える。【選択図】  図２
2014127992.tif 000002
【特許請求の範囲】
【請求項１】
電話機を接続可能とし、公衆回線を介して信号の送受信とリンガーインピーダンスの変更を行うデータアクセス手段を備えた通信装置であって、
前記公衆回線から受信する呼出信号を検知する第１検知手段と、
前記電話機がオフフック状態かオンフック状態かを検知する第２検知手段と、
前記通信装置が待機している状態において前記リンガーインピーダンスの変更を無効にし、前記第１検知手段により前記呼出信号を検知し、かつ前記第２検知手段によって前記オンフック状態であると判断された場合は、前記リンガーインピーダンスの変更を有効にする制御手段を備えることを特徴とする通信装置。
【請求項２】
前記制御手段は、前記第２検知手段により前記オフフック状態であると判断されるか、前記第１検知手段により前記呼出信号を検知しなくなった場合には、前記変更手段を無効にすることを特徴とする請求項１に記載の通信装置。
【請求項３】
前記第１検知手段は、前記呼出信号の時間を計測する計測手段を有することを特徴とする請求項１または２に記載された通信装置。
【請求項４】
前記データアクセス手段は、シリアルインターフェースによって前記制御手段と接続されることを特徴とする請求項１乃至３のいずれか１項に記載された通信装置。
【請求項５】
電話機を接続可能とし、公衆回線を介して信号の送受信とリンガーインピーダンスの変更を行うデータアクセス手段を備えた通信装置の制御方法であって、
前記公衆回線から受信する呼出信号を検知する工程と、
前記電話機がオフフック状態かオンフック状態かを検知する工程と、
前記通信装置が待機している状態において、前記リンガーインピーダンスの変更を無効にする工程と、
前記呼出信号を検知し、かつ前記オンフック状態を検知した場合に、前記リンガーインピーダンスの変更を有効にする工程を備えることを特徴とする通信装置の制御方法。
【発明の詳細な説明】
【技術分野】
【０００１】
本発明は、通信装置におけるリンガーインピーダンスに関する制御に関する。
【背景技術】
【０００２】
従来から、通信装置に関する回線規格は国ごとに定められており、各国の回線規格に適合させる必要がある。回線規格の中の１つであるリンガーインピーダンス（ｒｉｎｇｅｒ  ｉｍｐｅｄａｎｃｅ）規格は、南アフリカ共和国などいくつかの国でリンガーインピーダンス値の上限が定められている。それらの国では、回線制御回路（ＮＣＵ）で異なるインピーダンス値の素子を使用することで、その国の規格に対応していた。このために、通信装置の回路基板の共通化ができず、コストアップの原因となっていた。特許文献１に開示されている通信装置は、ＮＣＵの代わりにデータアクセス装置（ＤＡＡ）を使用し、データアクセス装置によって回線電流値を制御することによって、リンガーインピーダンス値を規格に適合させている。
【先行技術文献】
【特許文献】
【０００３】
【特許文献１】米国特許第６，５２２，７４５号公報
【発明の概要】
【発明が解決しようとする課題】
【０００４】
しかしながら、特許文献１では、インダクタＬ成分の大きい電話回線を通信装置に挿入した時や、通信装置に接続されている電話機をオフフック／オンフックした時に回線電圧の過渡が発生する。それによって、データアクセス装置が行うリンガーインピーダンス制御が回線電圧を発振状態にさせてしまうという課題が生じる。
【０００５】
同様に、通信装置に接続されている電話機からパルスダイヤルを行った場合にも、回線電圧の過渡が発生し、回線電圧を発振状態にさせてしまう。このような回線電圧の発振は、交換機などの回線設備に悪影響を与える可能性がある。
【課題を解決するための手段】
【０００６】
上記課題を解決するために、本発明の通信装置は、電話機を接続可能とし、公衆回線を介して信号の送受信を行うデータアクセス装置を備えた通信装置であって、リンガーインピーダンスを変更する変更手段と、前記公衆回線から受信する呼出信号を検知する第１検知手段と、前記電話機がオフフック状態かオンフック状態かを検知する第２検知手段と、前記通信装置が待機している状態において前記変更手段を無効にし、前記第１検知手段により前記呼出信号を検知し、かつ前記第２検知手段によって前記オンフック状態であると判断された場合は、前記変更手段を有効にする制御手段を備えることを特徴とする。
【発明の効果】
【０００７】
本発明の構成によれば、電話機をオフフック／オンフックした場合や電話機からパルスダイヤルを行った場合に、リンガーインピーダンスの変更によって回線電圧が発振状態になることを防ぐことができる。
【図面の簡単な説明】
【０００８】
【図１】本発明の通信装置の構成を示すブロック図である。
【図２】第１の実施形態の通信装置のリンガーインピーダンス制御のフローチャートである。
【図３】第２の実施形態の通信装置のリンガーインピーダンス制御のフローチャートである。
【発明を実施するための形態】
【０００９】
図１は本発明の実施形態である通信装置の構成を示すブロック図である。ＣＰＵ１０１は通信装置１００の制御を行い、ＲＯＭ１０２には各種プログラムやテーブルデータ等が格納されている。ＲＡＭ１０３は各種動作に必要なバッファやスタックデータなどが格納される。
【００１０】
操作部１０４はユーザが操作を行うためのキーやメッセージを表示するためのＬＣＤ、キータッチ音を出すためのスピーカなどから構成される。読取部１０５ではコピーやＦＡＸ送信のための原稿の読み取りを行い、読み取ったデータをＲＡＭ１０３に格納する。印刷部１０６ではＲＡＭ１０３に格納されているコピーやＦＡＸ受信画像データの印刷を行う。通信装置１００は、電話機１１１を接続可能としている。
【００１１】
モデム／ＤＡＡ１０７は、電話回線（公衆回線）に接続され、ファクシミリの送受信のための網制御や画信号の変復調を行う。即ち、モデム／ＤＡＡ１０７は、モデムとデータアクセス装置（ＤＡＡ）を有する通信部である。このデータアクセス装置（ＤＡＡ）は、回線電流値を制御することが可能であり、回線電流値を制御することによりリンガーインピーダンス値を規格に適合させる。このように、モデム／ＤＡＡ１０７は、リンガーインピーダンスを変更する変更手段を有している。なお、モデム／ＤＡＡ１０７とＣＰＵ１０１は、シリアルインターフェースで接続され、モデム／ＤＡＡ１０７とＣＰＵ１０１との通信にはＡＴコマンドを使用する。
【００１２】
呼出信号検知回路（第１検知手段）１０８はモデム／ＤＡＡ１０７と並列に電話回線に接続され、電話回線から到来する呼出信号を検知するためのものである。フック検知回路（第２検知手段）１０９では通信装置に接続された電話機がオフフックされた（オフフック状態）か、電話機がオンフックされた（オンフック状態）か、を検知する。電話機１１０は通信装置に接続された電話機である。
【００１３】
この通信装置１００は、設置時に使用者が通信装置を使用する国（通信規格）を選択できるようになっていて、操作部１０４のＬＣＤに表示される国リストの中からキー操作によって１つを選択し設定する。この操作によって選択された国の呼出信号の最小オン時間、最大オン時間、最小オフ時間、最大オフ時間などの各種回線規格に適合させるためのパラメータがＲＯＭ１０２から読み出され、ＲＡＭ１０３に格納される。
【００１４】
（第１の実施形態）
図２は、第１の実施形態の通信装置のリンガーインピーダンス制御のフローを示す。通信装置の待機状態では、初期設定としてモデム／ＤＡＡ１０７によるリンガーインピーダンス制御を禁止する。即ち、リンガーインピーダンスを変更する機能を無効にしている。リンガーインピーダンス制御を禁止するためのＡＴコマンドをモデム／ＤＡＡ１０７に対して送出する（Ｓ２０１）。通信装置の使用者が電話をかけようとして電話機１１０をオフフックした場合は、ステップＳ２０２でフック検知回路１０９がオフフックを検知する。オフフックを検知した場合には、ステップＳ２０８に進む。ステップＳ２０２で電話機１１０のオフフックを検知しない場合は、ステップＳ２０３に進む。ステップＳ２０３では、着信があるかどうかを判断するために呼出信号検知回路１０８で呼出信号を検知する（Ｓ２０３）。呼出信号を検知した場合は、モデム／ＤＡＡ１０７によるリンガーインピーダンス制御禁止を解除するためのＡＴコマンドをモデム／ＤＡＡ１０７に対して送出する（Ｓ２０４）。即ち、リンガーインピーダンスを変更する機能を有効にしている。その後、呼出信号検知回路１０８で呼出信号を検知しなくなった場合は、発呼側が電話を切って呼出信号が停止したとものと判断する（Ｓ２０５）。その場合、リンガーインピーダンス制御による回線電圧の発振を防ぐためにモデム／ＤＡＡ１０７によるリンガーインピーダンス制御を禁止するためのＡＴコマンドをモデム／ＤＡＡ１０７に対して送出する（Ｓ２０９）。
【００１５】
ステップＳ２０５において、呼出信号が停止していないと判断された場合は、着信に対して応答するために電話機１１０がオフフックされたがどうかを判断する（Ｓ２０６）。電話機１１０がオフフックされたと判断された場合は、リンガーインピーダンス制御による回線電圧の発振を防ぐために、モデム／ＤＡＡ１０７によるリンガーインピーダンス制御を禁止するためのＡＴコマンドをモデムに対して送出する（Ｓ２０７）。
【００１６】
ステップＳ２０８において、電話機１１０がオフフックされたがどうかを判断する。電話機１１０がオフフックされた場合には、Ｓ２０１へ戻る。電話機１１０がオフフックされなければ、Ｓ２０８で判断を行う。
【００１７】
以上のように、電話機の状態や通信機の状態に応じて、リンガーインピーダンス制御の許可／禁止の切換えを行うことにより、回線電圧の発振を防ぐことができる。
【００１８】
（第２の実施形態）
図３は、第２の実施形態の通信装置のリンガーインピーダンス制御のフローを示す。通信装置の待機状態では初期設定としてモデム／ＤＡＡ１０７によるリンガーインピーダンス制御を禁止するためのＡＴコマンドをモデム／ＤＡＡ１０７に対して送出する（Ｓ３０１）。通信装置の使用者が電話をかけようとして電話機１１０をオフフックした場合は、フック検知回路１０９がオフフックを検知するのでステップＳ３１１に進む（Ｓ３０２）。ステップＳ３０２で電話機１１０のオフフックを検知しない場合は、着信があるかどうかを判断するために呼出信号検知回路１０８で呼出信号を検知する（Ｓ３０３）。
【００１９】
呼出信号を検知した場合は、呼出信号のオン時間を計測するためにタイマーｔ１をスタートする（Ｓ３０４）。ここで呼出信号を検知できなくなった場合は、呼出信号ではなく回線ノイズ等が考えられるのでステップＳ３０３に戻る（Ｓ３０５）。タイマーｔ１の値が、使用者によって選択された国の呼出信号の最小オン時間（Ｔｍｉｎ）以上になったかどうかを判断する（Ｓ３０６）。タイマーｔ１の値が最小オン時間（Ｔｍｉｎ）以上の場合は、モデム／ＤＡＡ１０７によるリンガーインピーダンス制御の禁止を解除するためのＡＴコマンドをモデム／ＤＡＡ１０７に対して送出する（Ｓ３０７）。
【００２０】
その後、呼出信号検知回路１０８で呼出信号を検知しなくなった場合は、発呼側が電話を切って呼出信号が停止したとものと判断する（Ｓ３０８）。その場合、リンガーインピーダンス制御による回線電圧の発振を防ぐためにモデム／ＤＡＡ１０７によるリンガーインピーダンス制御を禁止するためのＡＴコマンドをモデム／ＤＡＡ１０７に対して送出する（Ｓ３１２）。
【００２１】
またステップＳ３０８において、呼出信号が停止していないと判断された場合は、着信に対して応答するために電話機１１０がオフフックされたがどうかを判断する（Ｓ３０９）。電話機１１０がオフフックされたと判断された場合はリンガーインピーダンス制御による回線電圧の発振を防ぐために、モデム／ＤＡＡ１０７によるリンガーインピーダンス制御を禁止するためのＡＴコマンドをモデムに対して送出する（Ｓ３１０）。
【００２２】
ステップＳ３１１において、電話機１１０がオフフックされた場合には、Ｓ３０１へ戻る。電話機１１０がオフフックされなければ、Ｓ３１１で判断を行う。
【００２３】
以上のように、電話機の状態や通信機の状態に応じて、リンガーインピーダンス制御の許可／禁止の切換えを行うことにより、回線電圧の発振を防ぐことができる。
【００２４】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014127992.tif 000003
【図２】
2014127992.tif 000004
【図３】
2014127992.tif 000005